(57)【要約】【課題】使用感を更に高めた送風装置を提供することを目的とする。【解決手段】空気吸込口２０１と空気吹出口３０７を備えた略球体の本体ケース１と、空気吸込口２０１と空気吹出口３０７とを連通する風路に設けられた高圧空気発生装置２１１と、本体ケース１の下部から延びた電源線４００と、本体ケース１を支持する支持台４０１とを備え、支持台４０１は、中心軸が上下方向に延びた筒形状の筒部４０３と、筒部４０３の上端に設けた筒形状の第１の弾性体４０４を備えたことを特徴とし、これにより、使用感を更に高めることができる。【選択図】図６
2016183588.tif 000002
【特許請求の範囲】
【請求項１】
空気吸込口と空気吹出口を備えた略球体の本体ケースと、前記空気吸込口と前記空気吹出口とを連通する風路に設けられた高圧空気発生装置と、前記本体ケースの下部から延びた電源線と、前記本体ケースを支持する支持台とを備え、前記支持台は、中心軸が上下方向に延びた筒形状の筒部と、前記筒部の上端に設けた筒形状の第１の弾性体を備えたことを特徴とする送風装置。
【請求項２】
前記空気吸込口は、前記本体ケースの下部に設け、前記支持台は、上端に切欠部を備えたことを特徴とする請求項１に記載の送風装置。
【請求項３】
前記切欠部における縁には、第２の弾性体を備えたことを特徴とする請求項２に記載の送風装置。
【請求項４】
前記筒部の上端部の形状は、横方向から見ると波形状であることを特徴とする請求項１から３のいずれかに記載の送風装置。
【請求項５】
前記第１の弾性体の上端は、上方へ凸形状の曲面であることを特徴とする請求項１から４のいずれかに記載の送風装置。
【請求項６】
前記支持台は、中心軸が上下方向に延びた円筒形状で、下端から上端に向かう従って外方へ広がることを特徴とする請求項１から５のいずれかに記載の送風装置。
【請求項７】
前記支持台の下部には、内方に延びたリング形状の環部を備えたことを特徴とする請求項１から６のいずれかに記載の送風装置。
【請求項８】
前記筒部の下端部には、第３の弾性体を備えたことを特徴とする請求項１から７のいずれかに記載の送風装置。
【請求項９】
前記第３の弾性体は、前記第３の弾性体の下端から下方に突出した複数の足部分を有することを特徴とする請求項８のいずれかに記載の送風装置。
【発明の詳細な説明】
【技術分野】
【０００１】
本発明は、例えば、送風により清涼感を与えたり空間内の空気循環を促したりする送風装置に関するものである。
【背景技術】
【０００２】
従来から、羽根車を内包することで該羽根車への接触に対する不安感をなくしつつ、本体のコンパクト化を実現するとした送風装置が知られていた（例えば特許文献１参照）。
【０００３】
従来の送風装置は、空気吸込口と空気吹出口を備えた本体ケースと、空気吸込口と空気吹出口とを連通する風路に設けられた高圧空気発生装置と、本体ケースを支持する支持台とを備えていた。
【先行技術文献】
【特許文献】
【０００４】
【特許文献１】特開２０１４−５７８７号公報
【発明の概要】
【発明が解決しようとする課題】
【０００５】
このような従来の送風装置における課題は、使用感を更に高めることであった。
【０００６】
すなわち、従来の物においては、本体ケースから電源線が延びていると、吹き出し角度を変更する場合に、この電源線が、本体ケースと、支持台の円筒部分とに挟まれる場合があった。このように、電源線が、本体ケースと、支持台の円筒部分とに挟まれると、本体ケースが傾いて、支持台に置かれるので、安定性が低下する場合があった。
【０００７】
そこで本発明は、吹き出し角度を変更する場合の安定性を向上させることにより、使用感を更に高めることを目的とする。
【課題を解決するための手段】
【０００８】
上述の目的を達成するために、本発明は、空気吸込口と空気吹出口を備えた略球体の本体ケースと、前記空気吸込口と前記空気吹出口とを連通する風路に設けられた高圧空気発生装置と、前記本体ケースの下部から延びた電源線と、前記本体ケースを支持する支持台とを備え、前記支持台は、中心軸が上下方向に延びた筒形状の筒部と、前記筒部の上端に設けた筒形状の第１の弾性体を備えたことを特徴とし、これにより所期の目的を達成するものである。
【発明の効果】
【０００９】
本発明に係る送風装置によれば、空気吸込口と空気吹出口を備えた略球体の本体ケースと、前記空気吸込口と前記空気吹出口とを連通する風路に設けられた高圧空気発生装置と、前記本体ケースの下部から延びた電源線と、前記本体ケースを支持する支持台とを備え、前記支持台は、中心軸が上下方向に延びた筒形状の筒部と、前記筒部の上端に設けた筒形状の第１の弾性体を備えたことを特徴とし、これにより、使用感を更に高めることができる。
【００１０】
すなわち、筒部の上端に筒形状の第１の弾性体を設けたので、本体ケースと支持台との間に電源線が挟まれた場合に、第１の弾性体が、電源線の厚み分凹み、その凹みに電源線が嵌るので、本体ケースが傾いて、支持台に置かれることが無く、使用感を更に高めることができる。
【図面の簡単な説明】
【００１１】
【図１】本発明の実施の形態１に係る送風装置の外観図
【図２】同送風装置の分解側面図
【図３】同送風装置の断面図
【図４】同送風装置の第一フレーム及び第一風路部材を送風側極から見た上面図
【図５】同送風装置の支持台の外観図
【図６】同送風装置を支持台に置いた外観図
【図７】同送風装置の支持台の断面図
【図８】同送風装置の支持台の展開図
【発明を実施するための形態】
【００１２】
（実施の形態１）
以下、添付図面を参照して、本発明の実施の形態につき説明し、本発明の理解に供する  。
【００１３】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１４】
以下、本発明の実施の形態１に係る送風装置について説明する。
【００１５】
図１は、本発明の実施の形態１に係る送風装置の外観図である。
【００１６】
図１に示すように本体ケース１は、略球体形状をなしており、球体の中心を仮想的に貫通する中心軸２を軸中心としている。
【００１７】
中心軸２は球体の送風側極３と、送風側極３に対向する吸込側極４とでそれぞれ点接している。なお、ここでいう略球体形状とは、一見して球体をなしているという意味であり、後述する開口部などにより一部球体表面の凹凸などで真球にならない点を考慮した表現である。つまり、真球とならない場合であっても一見して球体を成している場合には略球体形状に含まれる。
【００１８】
また、本体ケース１は、球体の両極（送風側極３、吸込側極４）と等距離の位置にて、中心軸２と垂直な切断面５で、略半球体状の第一フレーム６と、同じく略半球体状の第二フレーム７とに２等分されている。
【００１９】
第一フレーム６は、送風側極３を備え、中空形状を成しており、すなわち半球面構造を成す。また、第一フレーム６には、中心軸２に垂直な面で構成される円形の開口部９が送風側極３近傍に設けられている。なお、ここでいう近傍とは、厳密には送風側極３は球の周上にあるため、開口部９が属する平面上とは一致しないことによる表現である。従って、特に開口部９が送風側極３を含んでいるという表現としても差し支えない。さらに、第一フレーム６は、送風側極３を中心として中心軸２の周方向に等間隔に設けられた誘引空気吸込口８を複数個（本実施の形態１では６個）備えている。
【００２０】
誘引空気吸込口８は、同一径の円形を成しており、各円の中心は中心軸２を中心とした同一周上（中心軸２に垂直である同一断面上）に位置している。ただし、隣接する誘引空気吸込口８とは接触しておらず、すなわちそれぞれ独立することにより、内部空間に後述する複数の送風路を確保している。
【００２１】
開口部９は、その内部に誘引空気吸込口８と連通する誘引空気吹出口１０を備えているが、詳細は後述する。
【００２２】
第二フレーム７は、吸込側極４を備え、中空形状を成しており、すなわち半球面構造を成す。また、第二フレーム７は、吸込側極４の周囲に後述する空気吸込口を備えている。
【００２３】
図２は、本発明の実施の形態１に係る送風装置の分解側面図である。
【００２４】
図２に示すように、送風装置は、前述の第一フレーム６と第二フレーム７とで構成される略球体の本体の中空空間（内部）に、第一風路部材２０４、配置用空間２１６、第二風路部材２１２が第一フレーム６よりこの順で配置されており、この構成で送風装置用筐体を構成している。また、配置用空間２１６内に、高圧空気発生装置２１１を備えることで、送風装置として機能する。
【００２５】
第一風路部材２０４は、中心軸２に対して垂直の円形断面である誘引空気吹出口１０を備えた上部部材２０２と、当該上部部材２０２との間で中空状の内部空間を形成する下部部材２０３とで形成されている。また、下部部材２０３の壁面外側には、吸込側極４に向けて中心軸２と平行に、複数の支持部２１３（本実施の形態１では６個）が突設されている。ここで突設とは、突き出した状態で設けられていることをいう。
【００２６】
第二風路部材２１２には、前記複数の支持部２１３に対応する複数の当接部２１４（支持部と同数、本実施の形態では６個）が備えられている。また、当接部２１４は、第二風路部材２１２の送風側極３に向けて中心軸２と平行に突設されている。前記支持部２１３の先端部と当接部２１４の先端部とが当接することで、第一風路部材２０４と第二風路部材２１２との間で配置用空間２１６が形成される。ここでいう当接とは、突き当たった状態で接触することをいう。さらに、第二風路部材２１２には、吸込側極４に向けて中心軸２と平行に、中心軸２を中心とした円筒状の係合部２１５が突設されている。
【００２７】
第二フレーム７には、吸込側極４を中心としてその近傍に、空気吸込口２０１が多数のパンチング孔として設けられている。外部の空気は、空気吸込口２０１を介して略球体状の本体内部に吸引されるが、その仕組みについての詳細は後述する。
【００２８】
高圧空気発生装置２１１は、モータ２０６、基盤カバー２０７、基盤２０８、モータカバー２０９、羽根２１０により構成されている。また、高圧空気発生装置２１１は、前述の第一風路部材２０４に固定された、ゴムを素材とした弾性体からなる固定部２０５に固定することにより、前記配置用空間２１６内にて第一風路部材２０４の外壁側に固定される。
【００２９】
続いて、図３及び図４を用いて、送風装置における空気の流れを説明する。図３は、図２にて示した第一フレーム６、第一風路部材２０４、高圧空気発生装置２１１、第二風路部材２１２、第二フレーム７をこの順で配置することにより構成された送風装置を、中心軸２を含む平面で切断した際の断面図である。また、図４は、第一フレーム６及び第一風路部材２０４を、送風側極３側より見た上面図である。
【００３０】
図３において、送風側極３と吸込側極４とから等距離にある球の中心３０１近傍にモータ２０６が配置されており、当該モータ２０６の回転軸を回転させることにより、このモータ２０６の回転軸に接続された羽根２１０が中心軸２を軸に回転する。なお、このモータ２０６の動力源は、本体外部から引き込まれた後述する電源線より供給される電気、又は内蔵する電池から得られる電気等が該当する。
【００３１】
羽根２１０が回転すると、空気吸込口２０１より本体外からの空気が吸引される（送風経路３０３を参照）。吸引された空気は、オリフィスとしての機能を備えた第二風路部材２１２の、空気吸込口２０１側の開口部（空気吸込口側開口部３０２）を経て、配置用空間２１６内の羽根２１０内部（中心部）に流入する。流入した空気は、羽根２１０の送風構造に基づいてその中心軸２から外周方向に向きを変えて排出され、すなわち送風路としても機能する配置用空間２１６の円周外側方向に押し出される。
【００３２】
前記押し出された空気は、その押圧により、第一風路部材２０４の外壁（壁面外部）と第一フレーム６の内壁とで構成される送風路３０４を通過して開口部９に導かれる。ここで開口部９は、図４に示されるように、送風側極３を中心とした円形を成しており、前記第一風路部材２０４に備えられた誘引空気吹出口１０とその中心を同一に構成されている。また、誘引空気吹出口１０を構成する平面と開口部９を構成する平面とは略同一平面を構成している。ここで略同一平面とは、開口部９を構成する平面が誘引空気吹出口１０を構成する平面に比して球の中心３０１より例えば数ミリの誤差で、遠方にあり又は近接している状態を含むことを意味する。そして、開口部９の径は、誘引空気吹出口１０の径よりも大きく設計されており、開口部９と誘引空気吹出口１０の外壁との間の空間がすなわち前記送風路３０４に連通する円環状の空気吹出口３０７を構成している。結果として、空気吸込口２０１より吸引された空気は、羽根２１０の作用により、空気吹出口３０７から中心軸２と平行方向かつ中心３０１より遠ざかる方向に、環状の気流となって吹き出される。すなわち、本体ケース１は、空気吸込口２０１と空気吹出口３０７とを備え、空気吸込口２０１と空気吹出口３０７とを連通する風路に高圧空気発生装置２１１を設けている。
【００３３】
空気吹出口３０７より吹き出された環状の気流は、誘引効果によってその環状の内部の空気、すなわち誘引空気吹出口１０近傍の空気を同一方向に誘引する。この際、誘引空気吹出口１０に連通する複数の誘引空気吸込口８から空気が誘引され（送風経路３０６を参照）、誘引空気混合部３０５にて混合されて誘引空気吹出口１０に順次送り込まれる。
【００３４】
上述した、環状の気流と誘引空気とが開口部９付近で合成され、発散の少ないスポット風として、中心軸２方向より排出されるのである。
【００３５】
以上が本実施の形態１に係る送風装置の構成及び動作の概略である。
【００３６】
図５は、送風装置の支持台４０１の外観図である。図６は、送風装置を支持台４０１に置いた外観図である。図５、６に示すように、送風装置は、本体ケース１の下部である第二フレーム７から延びた電源線４００と、本体ケースを支持する支持台４０１とを備えている。
【００３７】
電源線４００は、本体ケース１内の高圧空気発生装置２１１と電気的に接続されている。電源線４００は、表面に絶縁被覆部４０２と、内部に銅線部（図示せず）を備えている。
【００３８】
本実施形態における特徴は、支持台４０１である。支持台４０１は、略球体形状の本体ケース１が、転がらないように支持する台である。具体的には、支持台４０１は、中心軸が上下方向に延びた筒形状の筒部４０３と、筒部４０３の上端に設けた筒形状の第１の弾性体４０４を備えている。第１の弾性体４０４の上端は、水平面と平行である。具体的には、材質の１例は、ゴムである。
【００３９】
筒部４０３の上端に筒形状の第１の弾性体４０４を設けたので、本体ケース１と支持台４０１との間に電源線４００が挟まれた場合に、第１の弾性体４０４が、電源線４００の厚み分凹み、その凹みに電源線４００が嵌るので、本体ケース１が傾いて、支持台４０１に置かれることが無く、使用感を更に高めることができる。また、電源線４００が、本体ケース１と、支持台４０１の円筒部分とに挟まれ、電源線が圧迫され、耐久性が低下することも抑制できる。
【００４０】
図７は、送風装置の支持台４０１の断面図である。図８は、送風装置の支持台４０１の展開図である。更に詳しく説明すると、図７、８に示すように、筒部４０３の上部には、筒部４０３より薄い薄筒部４０５を備えている。薄筒部４０５は、筒部４０３上端部における外面と内面が削られた形である。薄筒部４０５の先端が、筒部４０３の上端部となる。
【００４１】
第１の弾性体４０４は、薄筒部４０５を覆うように設けられ、第１の弾性体４０４の上下方向の寸法は、薄筒部４０５の上下方向の寸法より大きい。この薄筒部４０５の上下方向の寸法より大きい第１の弾性体４０４の上下方向の寸法は、電源線４００の厚み寸法より大きい。これにより、本体ケース１と支持台４０１との間に電源線４００が挟まれた場合に、第１の弾性体４０４が、電源線４００の厚み分凹み、その凹みに電源線が嵌るので、本体ケース１が傾いて、支持台４０１に置かれることが無い。
【００４２】
また、図６に示すように、空気吸込口２０１は、本体ケース１の下部に設け、支持台４０１は、上端に略四角形状の切欠部４０６を備えたものである。空気吸込口２０１は、本体ケース１の下部である第二フレーム７に設けられているので、本体ケース１を支持台４０１の上端部に置くと、支持台４０１内に空気吸込口２０１の一部が位置する場合がある。ここで、切欠部４０６によって、本体ケース１と支持台４０１との間には、隙間ができるので、この隙間から室内の空気が、支持台４０１内に入り、空気吸込口２０１へ流れ込むことができる。すなわち、切欠部４０６によってできる隙間は、電源線４００と空気との両方を通すことができる。
【００４３】
また、図６、８に示すように、切欠部４０６における縁には、第２の弾性体４０７を備えたものである。第２の弾性体４０７は、筒部４０３より柔らかいものである。これにより、電源線４００が、筒部４０３の端部と接触することを防止できる。
【００４４】
また、図７、８に示すように、筒部４０３の上端部の形状は、横方向から見ると波形状である。第１の弾性体４０４と筒部４０３との境目も、波形状である。
【００４５】
筒部の４０３上端部、つまり薄筒部４０５の先端の波形状は、窪んだ凹部分４０８と、突出した凸部分４０９とが連続して隣り合った形状である。同様に、薄筒部４０５の根元の波形状も、窪んだ凹部分４０８と、突出した凸部分４０９とが連続して隣り合った形状である。
【００４６】
筒部４０３の上端部における凹部分４０８から第１の弾性体４０４の上端部までの距離は、筒部４０３の上端部における凸部分４０９から第１の弾性体４０４の上端部までの距離より長くなる。この寸法は、電源線４００の厚み寸法より大きいものである。これにより、第１の弾性体４０４は、変形し易くなるものである。一方、筒部４０３の上端部における凸部分４０９から第１の弾性体４０４の上端部までの距離は、筒部４０３の上端部における凹部分４０８から第１の弾性体４０４の上端部までの距離より短くなる。この寸法は、電源線４００の厚み寸法より小さいものである。これにより、支持台４０１の剛性を向上できる。これにより、第１の弾性体４０４の変形量を低下させることなく、支持台４０１の剛性を向上できる。
【００４７】
また、筒部４０３の上端部は波形状なので、略球体形状の本体ケース１を支持台４０１の上端部に置く場合に、本体ケース１の向きを気にせず置いた場合にも、電源線４００が筒部４０３の上端部における凹部分４０８に位置し易くなる。仮に、電源線４００が筒部４０３の上端部における凸部分４０９に位置した場合にも、筒部４０３の上端部は波形状なので、電源線４００が、筒部４０３の上端部における凹部分４０８に移動し易くなる。
【００４８】
また、凹部分４０８の曲面の半径の長さは、凸部分４０９の曲面の半径の長さより大きい。すなわち、凹部分４０８の曲面の半径の長さと、凸部分４０９の曲面の半径の長さとが同じ場合に比べ、隣り合った凸部４０９分と凸部分４０９との距離が大きくなる。これにより、略球体形状の本体ケース１を支持台４０１の上端部に置く場合に、本体ケース１の向きを気にせず置いた場合にも、電源線４００が筒部４０３の上端部における凹部分４０８に更に位置し易くなる。仮に、電源線４００が筒部４０３の上端部における凸部分４０９に位置した場合にも、筒部４０３の上端部における凸部分４０９の曲面の半径の長さは、凹部分４０８の曲面の半径の長さより短い波形状なので、電源線４００が、筒部４０３の上端部における凹部分４０８に更に移動し易くなる。
【００４９】
また、第１の弾性体４０４の上端は、上方へ凸形状の曲面である。略球体形状の本体ケース１を第１の弾性体４０４の上端部に置くと、本体ケース１は、第１の弾性体４０４の上端部において、内面側寄りの位置で接触する。第１の弾性体４０４の上端部は、常に外方に広がるように、本体ケース１を支持する。これにより、吹き出し角度を変更する場合に、略球体形状の本体ケース１を回転させる場合にも、第１の弾性体４０４の上端部は、常に外方に広がるように力が掛かるので、支持台の上端部は、円形状に保持され、スムーズに回転させることができる。また、本体ケース１と第１の弾性体４０４の上端との接触面積が小さくなり、更に、スムーズに回転させることができる。
【００５０】
また、支持台４０１は、中心軸が上下方向に延びた円筒形状で、下端から上端に向かう従って外方へ広がる形状で、下端の開口より上端の開口の方が大きい形状である。支持台４０１は、中心軸が上下方向に延びた円筒形状で、下端の開口と上端の開口が同じ円形状の場合に比べ、中心軸が上下方向に延びた円筒形状で、下端から上端に向かう従って外方へ広がる形状の方が、支持台４０１下端における円筒の直径が同じ場合には、略球体形状の本体ケースが、支持台の内方に位置する。すなわち、略球体形状の本体ケース１がより下方に位置する。結果として、送風装置の重心が下がりより安定する。また、下端の開口より、第１の弾性体４０４の直径が大きくなり、隣り合った凸部４０９分と凸部分４０９との距離が大きくなる。これにより、略球体形状の本体ケース１を支持台４０１の上端部に置く場合に、本体ケース１の向きを気にせず置いた場合にも、電源線４００を筒部４０３の上端部における凹部分４０８に更に位置し易くなる。
【００５１】
また、支持台４０１の下部には、内方に延びたリング形状の環部４１０を備えている。支持台４０１は、下部から内方に延びたリング形状の環部４１０を備えているので、垂直断面形状はＴ形状となる。これにより、強度が向上し、支持台４０１が変形しにくくなる。
【００５２】
更に、支持台４０１を誤って、上下逆様に使用した場合に、支持台４０１は、下部から内方に延びたリング形状の環部４１０を備えているので、通常の使用状態に比べて、本体ケース１を支持する直径が小さくなり不安定になる。更に、送風装置の重心が上がり、通常の使用状態に比べて、更に不安定になる。これにより、使用者に支持台４０１を誤って、上下逆様に使用していることを、気づかせることができる。
【００５３】
また、筒部４０３の下端部には、第３の弾性体４１１を備えたものである。これにより、高圧空気発生装置２１１から発生する振動を、下端に接した床や机に伝えることを抑制できる。
【００５４】
また、図５、８に示すように、第３の弾性体４１１は、第３の弾性体４１１の下端から下方に突出した複数の足部分４１２を有する。これにより、支持台４０１を机に置く場合に、支持台４０１と机との接触面積が小さくなり、高圧空気発生装置２１１から発生する振動を、机に伝えることを抑制できる。また、支持台４０１の下端部と、机との間に隙間ができる。本体ケース１を支持台４０１の上端部に置くと、支持台４０１内に空気吸込口２０１の一部が位置する場合がある。この隙間から室内の空気が、支持台４０１内に入り、空気吸込口２０１へ流れ込むことができる。結果として、風量が増加する。
【産業上の利用可能性】
【００５５】
送風により清涼感を与えたり空間内の空気循環を促したりする送風装置として有用である。
【符号の説明】
【００５６】
１  本体ケース
２  中心軸
３  送風側極
４  吸込側極
５  切断面
６  第一フレーム
７  第二フレーム
８  誘引空気吸込口
９  開口部
１０  誘引空気吹出口
２０１  空気吸込口
２０４  第一風路部材
２１１  高圧空気発生装置
２１２  第二風路部材
２１３  支持部
２１４  当接部
２１５  係合部
２１６  配置用空間
３０５  誘引空気混合部
３０７  空気吹出口
４００  電源線
４０１  支持台
４０２  絶縁被覆部
４０３  筒部
４０４  第１の弾性体
４０５  薄筒部
４０６  切欠部
４０７  第２の弾性体
４０８  凹部分
４０９  凸部分
４１０  環部
４１１  第３の弾性体
４１２  足部分
【図１】
2016183588.tif 000003
【図２】
2016183588.tif 000004
【図３】
2016183588.tif 000005
【図４】
2016183588.tif 000006
【図５】
2016183588.tif 000007
【図６】
2016183588.tif 000008
【図７】
2016183588.tif 000009
【図８】
2016183588.tif 000010